(57)【要約】【課題】  本発明は、上記の点を鑑み、各記録媒体の各色について二分光放射輝度率を測定することなく、簡便に二分光蛍光放射輝度率を推定できるようにすることを目的とする。【解決手段】  本発明に係る色処理装置は、第１の記録媒体の蛍光分光放射輝度率と色材が記録された前記第１の記録媒体の蛍光分光放射輝度率とを取得する第１の取得手段と、前記取得した蛍光分光放射輝度率から前記第１の記録媒体における蛍光の影響度を算出する算出手段と、前記第１の記録媒体とは含有する蛍光増白材が異なる第２の記録媒体の蛍光分光放射輝度率を取得する第２の取得手段と、前記影響度と、前記取得した第２の記録媒体の蛍光分光放射輝度率とを用いて、前記色材が記録された第２の記録媒体の蛍光分光放射輝度率を推定する推定手段とを有する。【選択図】  図２
2012134868.tif 000002
【特許請求の範囲】
【請求項１】
第１の記録媒体の蛍光分光放射輝度率と色材が記録された前記第１の記録媒体の蛍光分光放射輝度率とを取得する第１の取得手段と、
前記取得した蛍光分光放射輝度率から前記第１の記録媒体における蛍光の影響度を算出する算出手段と、
前記第１の記録媒体とは含有する蛍光増白材が異なる第２の記録媒体の蛍光分光放射輝度率を取得する第２の取得手段と、
前記影響度と、前記取得した第２の記録媒体の蛍光分光放射輝度率とを用いて、前記色材が記録された第２の記録媒体の蛍光分光放射輝度率を推定する推定手段と
を有することを特徴とする色処理装置。
【請求項２】
前記蛍光分光放射輝度率は、二分光蛍光放射輝度率であることを特徴とする請求項１に記載の色処理装置。
【請求項３】
前記第１の記録媒体と前記第２の記録媒体とは、同じ種類の記録媒体であることを特徴とする請求項１又は請求項２に記載の色処理装置。
【請求項４】
前記算出手段は、前記第１の記録媒体の蛍光分光放射輝度率と
前記色材が記録された第１の記録媒体の蛍光分光放射輝度率との除算によって前記影響度を算出することを特徴とする
請求項１乃至請求項３に記載の色処理装置。
【請求項５】
第１の記録媒体の蛍光分光放射輝度率と色材が記録された前記第１の記録媒体の蛍光分光放射輝度率とを取得する第１の取得工程と、
前記取得した蛍光分光放射輝度率から前記第１の記録媒体における蛍光の影響度を算出する算出工程と、
前記第１の記録媒体とは含有する蛍光増白材が異なる第２の記録媒体の蛍光分光放射輝度率を取得する第２の取得工程と、
前記影響度と、前記取得した第２の記録媒体の蛍光分光放射輝度率とを用いて、前記色材が記録された第２の記録媒体の蛍光分光放射輝度率を推定する推定工程と
を有することを特徴とする色処理装置。
【請求項６】
コンピュータを、請求項１乃至請求項４の何れか一項に記載された色処理装置の各手段として機能させることを特徴とするプログラム。
【発明の詳細な説明】
【技術分野】
【０００１】
本発明は、蛍光試料の光学特性を考慮した色処理に関する。
【背景技術】
【０００２】
印刷に用いられる用紙の多くは、用紙の白色度やプリント物の彩度向上といった発色性を向上するために、蛍光増白剤によって蛍光増白されている場合がある。
【０００３】
用紙に含まれる蛍光増白剤に含まれる蛍光体には、紫外波長域の光によって励起され、可視波長域範囲内の光を発光するという特性がある。そのため、蛍光増白剤を含む用紙を用いる画像処理装置において、出力画像の再現色を忠実に推定するためには、観察環境光の紫外波長域の光に応じた蛍光発光を考慮して、出力画像の分光反射率を推定しなければならない。
【０００４】
蛍光発光を考慮する方法として、二分光放射輝度率Ｂ（μ，λ）を用いる方法がある。二分光放射輝度率Ｂ（μ，λ）とは、波長μの入射光に対する試料の分光放射輝度率を各波長λごとに保持する二変数関数であり、照射した波長域と異なる波長域で放射する蛍光発光のデータを保持することができる。
【０００５】
特許文献１には、各種用紙の７５４色のパッチについて、二分光放射輝度率の測定を行うことで、各種用紙、各観察環境光の出力画像の再現色を推定することが記載されている。
【先行技術文献】
【特許文献】
【０００６】
【特許文献１】特開２００３−１１０８６７号公報
【発明の概要】
【発明が解決しようとする課題】
【０００７】
二分光放射輝度率の測定は、測定光源と受光器の両方に分光器を備えた二分光測定器において、測定光源の波長帯を少しずつ変更しながら分光放射輝度率を測定する必要があるため、測定に膨大な時間を要する。また、近年、印刷に用いる用紙は目的・用途に応じて多様化しており、用紙の種類は膨大な数になっている。そのため、プリントしたときの出力画像の再現色を各種用紙について推定する際に、各種用紙に実際にパッチを印刷して測定すると、莫大な時間を要する。したがって、特許文献１のように、各種用紙の各パッチについて二分光放射輝度率の測定を行うには膨大な時間を要する。
【０００８】
そこで本発明は、上記の点を鑑み、各記録媒体の各色について二分光放射輝度率を測定することなく、簡便に二分光蛍光放射輝度率を推定できるようにすることを目的とする。
【課題を解決するための手段】
【０００９】
本発明に係る色処理装置は、第１の記録媒体の蛍光分光放射輝度率と色材が記録された前記第１の記録媒体の蛍光分光放射輝度率とを取得する第１の取得手段と、前記取得した蛍光分光放射輝度率から前記第１の記録媒体における蛍光の影響度を算出する算出手段と、前記第１の記録媒体とは含有する蛍光増白材が異なる第２の記録媒体の蛍光分光放射輝度率を取得する第２の取得手段と、前記影響度と、前記取得した第２の記録媒体の蛍光分光放射輝度率とを用いて、前記色材が記録された第２の記録媒体の蛍光分光放射輝度率を推定する推定手段とを有する。
【発明の効果】
【００１０】
本発明によれば、各記録媒体の各色について二分光放射輝度率を測定することなく、簡便に二分光蛍光放射輝度率を推定できる。
【図面の簡単な説明】
【００１１】
【図１】実施例１における色処理装置の構成を示すブロック図である。
【図２】二分光データの一例を示す図である。
【図３】蛍光推定部１０５、分光放射輝度率取得部１０６、二分光データ生成部１０７の処理の流れを示すフローチャートである。
【図４】蛍光推定部１０５の処理の流れを示すフローチャートである。
【図５】分光放射輝度率の測定系の一例を示す図である。
【図６】二分光データ生成部１０７の処理の流れを示すフローチャートである。
【図７】実施例２における色処理装置の構成を示すブロック図である。
【図８】実施例２におけるプロファイル作成に係るＵＩ画面を示す図である。
【図９】蛍光成分推定処理における実行是非を示す対応表である。
【図１０】環境光と蛍光発光の考慮との組み合わせに応じて蛍光成分の推定を実行するか否かの組み合わせを示す図である。
【図１１】色補正プロファイルの作成処理の流れを示すフローチャートである。
【発明を実施するための形態】
【００１２】
［実施例１］
本実施例における色処理装置の構成について、図１に示されるブロック図を参照しながら説明する。なお、同一な構成については、同じ符号を付して説明する。
【００１３】
ＣＰＵ７０１は、ＲＯＭ７０２が記憶している制御プログラム、オペレーティングシステム、アプリケーションプログラム、デバイスドライバ等に従って動作する。そして、ＲＡＭ７０３、操作部７０４、画像処理部７０５、モニタ７０６、入力デバイス７０７、出力デバイス７０８の制御を行う。入力デバイス７０７は、例えば測定装置である。出力デバイス７０８は、例えば画像を出力するプリンタである。ＲＡＭ７０３は、各種制御プログラムや操作部７０４から入力されるデータの作業領域及び一時待避領域として機能する。操作部７０４は、入力デバイス７０７や出力デバイス７０８等へのデータ入力を行う。画像処理部７０５は、二分光データを推定するための演算処理を行う。また、画像処理部７０５には、プロファイル作成装置も含まれる。モニタ７０６は、画像処理部７０５の処理結果や操作部７０４で入力されたデータ等を表示する。
【００１４】
図２は、画像処理部７０５の構成を示すブロック図である。図中、二分光データ格納部１０１は、用紙またはプリント物（試料）の二分光放射輝度率（二分光データ）を格納する。二分光データ格納部１０１は、図２に示す形式の二分光データを格納している。すなわち、３００ｎｍから７８０ｎｍまでの１０ｎｍ間隔の光源波長に対する分光放射輝度率を３００ｎｍ〜７８０ｎｍの間で１０ｎｍ間隔に保持したデータである。以降、本実施例においては、二分光データは蛍光成分と反射成分の２つのデータ領域から構成されるとする。蛍光成分とは、可視光よりも短い波長域（３００ｎｍ〜３７０ｎｍ）の入射光に対する分光放射輝度率のデータ領域である。また、反射成分とは、可視域の波長域（３８０ｎｍ〜７８０ｎｍ）の入射光に対する分光放射輝度率のデータ領域である。
【００１５】
二分光データ格納部１０１は、少なくとも３つの二分光データを保持している。１つ目は、ある蛍光増白剤を含む用紙Ａの紙白の二分光データＢ１（μ，λ）である。２つ目は、用紙Ａの紙面に色材を塗布したある印字状態（プリント物Ａ）での二分光データＢ２（μ，λ）である。３つ目は、用紙Ａとは同じ紙種ではあるが用紙Ａに含まれる蛍光増白剤とは異なる種類の蛍光増白剤を含む用紙Ｂの紙白の二分光データＢ３（μ，λ）である。蛍光抽出部１０２は、二分光データから蛍光成分に該当するデータ領域を抽出する。蛍光影響度算出部１０３は、蛍光抽出部１０２が抽出する２つの蛍光成分より蛍光影響度を算出する。蛍光算出部１０４はであり、蛍光抽出部１０２が抽出した蛍光成分と蛍光影響度算出部１０３が算出する蛍光影響度とから蛍光成分を算出する。蛍光推定部１０５は、これら蛍光抽出部１０２と蛍光影響度算出部１０３と蛍光算出部１０４を含む。分光放射輝度率取得部１０６は、分光放射輝度率を取得する。そして、二分光データ生成部１０７は、蛍光推定部１０５が推定する蛍光成分と、分光放射輝度率取得部１０６が取得する分光放射輝度率を統合し、二分光データを生成する。
【００１６】
図３を用いて、蛍光推定部１０５、分光放射輝度率取得部１０６、二分光データ生成部１０７に係る処理の流れを説明する。本実施例においては、上述した二分光データを用いて、蛍光推定部１０５、分光放射輝度率取得部１０６、二分光データ生成部１０７は、プリント物Ａの形成時と同様に用紙Ｂの紙面に色材を塗布して得られる印字状態（プリント物Ｂ）の二分光データを推定する。なお、各部の詳細は後述する。
【００１７】
蛍光推定部１０５は、３つの二分光データ（Ｂ１（μ，λ）、Ｂ２（μ，λ）、Ｂ３（μ，λ））を二分光データ格納部１０１より取得し（Ｓ３０１）、プリント物Ｂの蛍光成分Ｆ４（μ，λ）を推定する（Ｓ３０２）。
【００１８】
次に、分光放射輝度率取得部１０６は、プリント物Ｂの反射成分ｒ（λ）を取得する（Ｓ３０３）。
【００１９】
二分光データ生成部１０７は、蛍光成分Ｆ４（μ，λ）と反射成分ｒ（λ）を統合し、プリント物Ｂの二分光データＢ４（μ，λ）を生成し（Ｓ３０４）、処理を終了する。
【００２０】
以下、蛍光推定部１０５、分光放射輝度率取得部１０６、二分光データ生成部１０７の処理について詳細に述べる。
【００２１】
まず、蛍光推定部１０５について説明する。ある用紙の紙白の蛍光発光と、その用紙の紙面に色材が塗布されたある印字状態での蛍光発光との違いは、記録媒体上の色材の面積率と分光透過率によって決まる。すなわち、紙面の色材の有無による蛍光発光の違いは、色材の面積率と分光透過率に依存する。用紙Ａと用紙Ｂは、含まれる蛍光増白剤の種類が異なるが、同種の紙である。そのため、両紙に対して同様に印字すれば、紙面での色材の面積率と分光透過率がほぼ同じとみなせるプリント物を得ることができる。よって、用紙Ａにおける紙面の色材の有無による蛍光発光の違いと、用紙Ｂにおける紙面の色材の有無による蛍光発光の違いは、同等とみなすことができる。よって、蛍光推定部１０５は、前述のプリント物Ａの形成時と同様に用紙Ｂの紙面に色材を塗布して得られる印字状態（プリント物Ｂ）での蛍光成分を、前述の３つの二分光データを用いて推定する。
【００２２】
蛍光推定部１０５は、蛍光抽出部１０２、蛍光影響度算出部１０３、蛍光算出部１０４からなる。図４を用いて、蛍光推定部１０５の処理フローを説明する。
【００２３】
蛍光抽出部１０２は、二分光データ格納部１０１から３つの二分光データＢ１（μ，λ）、Ｂ２（μ，λ）、Ｂ３（μ，λ）を取得する（Ｓ４０１）。
【００２４】
次に、各二分光データの蛍光成分をそれぞれＦ１（μ，λ）、Ｆ２（μ，λ）、Ｆ３（μ，λ）として抽出する（Ｓ４０２）。
【００２５】
そして、Ｆ１（μ，λ）とＦ２（μ，λ）は蛍光影響度算出部１０３に入力し、Ｆ３（μ，λ）は蛍光算出部１０３に入力する。蛍光影響度算出部１０３は、以下の演算により蛍光影響度α（μ，λ）を算出する（Ｓ４０３）。
α（μ，λ）＝Ｆ２（μ，λ）／Ｆ１（μ，λ）
上記演算によって求められる蛍光影響度α（μ，λ）は、用紙Ａの紙白の状態から、紙面に色材が塗布されたある印字状態に変化した時の、蛍光成分の変化の程度を表すパラメータとなる。
【００２６】
蛍光算出部１０４は、蛍光抽出部１０１より入力される用紙Ｂの紙白の蛍光成分Ｆ３（μ，λ）と、蛍光影響度算出部１０３が算出する蛍光影響度α（μ，λ）とから、プリント物Ｂの蛍光成分Ｆ４（μ，λ）を、以下の式により算出する（Ｓ４０４）。
Ｆ４（μ，λ）＝Ｆ３（μ，λ）×α（μ，λ）
以上により、蛍光推定部１０５は、３つの二分光データＢ１（μ，λ）、Ｂ２（μ，λ）、Ｂ３（μ，λ）を用いてプリント物Ｂの蛍光成分Ｆ４（μ，λ）を推定する。
【００２７】
次に、分光放射輝度率取得部１０６について説明する。分光放射輝度率取得部１０６は、蛍光発光の影響を含まずにプリント物Ｂの分光放射輝度率を取得する。分光放射輝度率は、例えば図５に示す測定系によって得られる測定値によって算出する。図５に示す測定系においては、まず測定のために用意された光源の放射光が紫外カットフィルタを通過し、紫外波長域即ち励起波長域に分光放射輝度を持たない光が試料に照射される。照射された光は、励起波長域に分光放射輝度を持たないため、試料からの蛍光発光は発生せず、試料からの反射光のみを分光器を通して受光する。そして、得られた反射光の分光放射輝度を光源の分光放射輝度で除算することにより試料の反射分光放射輝度率を算出する。このような測定系により、プリント物Ｂの反射成分である分光放射輝度率ｒ（λ）（３８０ｎｍ≦λ≦７８０ｎｍ）を算出することができる。
【００２８】
次に、二分光データ生成部１０７について説明する。二分光データ生成部１０７は、蛍光推定部１０５が推定する蛍光成分Ｆ４（μ，λ）と、分光放射輝度率取得部１０６が算出する分光放射輝度率ｒ（λ）とを合成して、二分光データＢ４（μ，λ）を生成する。蛍光成分Ｆ４（μ，λ）は２次元データであり、分光放射輝度率ｒ（λ）は１次元データである。そのため、二分光データ生成部１０７は、図６に示す処理フローによって蛍光成分Ｆ４（μ，λ）と分光放射輝度率ｒ（λ）を合成し、二次元データである二分光データＢ４（μ，λ）を生成する。
【００２９】
まず、Ｂ４（μ，λ）（３００ｎｍ≦μ≦７８０ｎｍ、３００ｎｍ≦λ≦７８０ｎｍ）のすべての項に０を代入し、初期化する（Ｓ６０１）。
【００３０】
次に、Ｂ４（μ，λ）のなかの蛍光成分を指すデータ領域（３００ｎｍ≦μ≦３７０ｎｍ）に、以下の式により蛍光成分Ｆ４（μ，λ）を代入する（Ｓ６０２）。
Ｂ４（μ，λ）  ＝  Ｆ４（μ，λ）    （３００ｎｍ≦μ≦３７０ｎｍ、３００ｎｍ≦λ≦７８０ｎｍ）
そして、Ｂ４（μ，λ）のなかの反射成分を指すデータ領域（３８０ｎｍ≦μ≦７８０ｎｍ）中、μ＝λを満たす領域に、以下の式により分光放射輝度率ｒ（λ）を代入する（Ｓ６０３）。
Ｂ４（μ，λ）  ＝  ｒ（μ）    （３８０ｎｍ≦μ≦３７０ｎｍ）
以上により、二分光データ生成部１０７は、プリント物Ｂの二分光データＢ４（μ，λ）を推定し、処理を終了する。
【００３１】
なお、上記実施例において、蛍光抽出部１０２は、二分光データ格納部１０１が保持する二分光データの中から蛍光成分を抽出した。蛍光成分を取得する方法はこの方法に限られない。あらかじめ蛍光成分を保持する二分光蛍光放射輝度率格納部を用いて蛍光成分を取得することにより、二分光データから蛍光成分を抽出する処理を省略することも可能である。
【００３２】
また、蛍光影響度算出部１０３における蛍光影響度α（μ，λ）の算出においては、
蛍光成分の推定精度の要求精度に応じて、下記の式のように減算を用いてもよい。
α（μ，λ）＝Ｆ２（μ，λ）  −Ｆ１（μ，λ）
以上説明したように、上記実施例によれば、用紙Ａ，プリント物Ａ、用紙Ｂに関する二分光データにより、実際に印字してプリント物Ｂを作成することなく、プリント物Ｂの二分光データを推定により生成することが可能になる。
【００３３】
［実施例２］
本実施例では、実施例１で説明した蛍光発光の推定方法を用いて、プロファイルが用意されていない新規用紙（記録媒体）に関して、モニタとプリンタ間の色補正プロファイルを作成する色補正プロファイル作成装置について説明する。
【００３４】
本実施例における色補正プロファイル作成装置を図８に示す。測定部８０１は、新規用紙の紙白の二分光データを測定する。プロファイル作成設定部８０２では、新規用紙の種類（例えば、普通紙や光沢紙などの種類）、測定部８０１で取得した紙白の二分光データを入力するとともに、プロファイル作成時の各種設定項目を設定する。なお、設定項目の詳細については後述する。出力色域算出部８０４は、プロファイル作成設定部８０２より入力される二分光データや各設定項目と、既存用紙データ格納部８０３より、プロファイルが用意されていない既存用紙の二分光データを取得する。そして、実施例１における蛍光発光の推定方法を用いて、画像観察環境光下での新規用紙の再現色を推定し、推定された再現色を用いて出力色域を算出する。そして、算出した出力色域を出力色域データ格納部８０５に格納する。
【００３５】
プロファイル作成部８０７は、観察環境光下のモニタもしくはプリンタの再現色域のデータを、入力色域データ格納部８０６、出力色域データ格納部８０５より、それぞれ取得する。そして、周知の手法によりモニタとプリンタの再現色域間のカラーマッチング処理を行い、マッチング結果に基づいて、観察観光光下における色補正プロファイルを作成する。
【００３６】
プロファイル作成設定部８０２におけるＵＩ画面の一例を図９に示す。用紙に関する項目としては、新規用紙の紙白の二分光データを入力する紙白二分光データ入力部９０１、新規用紙の用紙種類を指定する用紙種類選択部９０２がある。また、他の項目としては、画像観察時の環境光の紫外波長域の有無を選択する環境光選択部９０３、そして、プロファイル作成において蛍光発光を考慮するか否かを選択する蛍光発光選択部９０４がある。
【００３７】
図８に示すＵＩでの環境光選択部９０３と蛍光発光選択部９０４の選択に応じて、プロファイル作成時に蛍光成分の推定を実行するか否かが決定される。図１０に、環境光選択部９０３と蛍光発光選択部９０４の選択の組み合わせと、各組み合わせのときの蛍光成分の推定の実行是非の一覧を示す。
【００３８】
図１０に示すように、環境光に紫外波長域の光があり、かつ、蛍光発光を考慮したプロフィルを作成するときに、蛍光成分の推定処理を実行する。環境光に紫外波長域の光がある場合でも蛍光発光を考慮したプロファイルを作成しない場合には、蛍光成分の推定処理は実行しない。また、環境光に紫外波長域の光がない場合には、プリント物の蛍光発光は発生しないため、蛍光成分の推定処理は実行しない。
【００３９】
図９に示すＵＩの実行ボタン（ＯＫボタン）が押下されたときの処理フローを図１１に示す。
【００４０】
まず、環境光選択部９０３を参照し、環境光が紫外波長域を含むか否かの判定をする（Ｓ１１０１）。ここで、環境光が紫外波長域を含まない場合は、Ｓ１１０７へ進み、環境光が紫外波長域を含む場合にはＳ１１０２に進む。
【００４１】
次に、蛍光発光選択部９０４を参照し、蛍光発光の考慮の是非を判定する（Ｓ１１０２）。ここで、蛍光発光を考慮しない場合は、Ｓ１１０７へ進み、また、蛍光発光を考慮する場合はＳ１１０３に進む。
【００４２】
Ｓ１１０３〜Ｓ１１０６では、新規用紙を用いたプリント物の二分光データを生成する工程である。この工程は、実施例１に記載した、蛍光成分を推定することによりプリント物の二分光データを推定する処理と同様であるため説明を省略する。
【００４３】
Ｓ１１０７では、新規用紙を用いたプリント物の分光放射輝度率を取得する。反射成分の取得方法は、実施例１における分光放射輝度率取得部１０６を用いて取得する。
【００４４】
Ｓ１１０８では、出力色域算出部８０４が、二分光データないしは分光放射輝度率をもとに、出力色域を算出し、出力色域を出力色域データ格納部８０５に格納する。
【００４５】
最終的に、プロファイル作成部８０７は、出力色域データ部と入力色域データ部よりそれぞれ出力色域と入力色域を取得し（Ｓ１１０９）、プロファイルを作成して（Ｓ１１１０）、処理を終了する。
【００４６】
以上説明したように、実施例２によれば、モニタとプリンタ間の色補正プロファイルを作成することが可能になる。
【００４７】
［その他の実施形態］
また、本発明は、上述した実施例の機能（例えば、上記のフローチャートにより示される工程）を実現するソフトウェアのプログラムコードを記録した記憶媒体を、システム或いは装置に供給することによっても実現できる。この場合、そのシステム或いは装置のコンピュータ（又はＣＰＵやＭＰＵ）が、コンピュータが読み取り可能に記憶媒体に格納されたプログラムコードを読み出し実行することにより、上述した実施例の機能を実現する。
【図１】
2012134868.tif 000003
【図２】
2012134868.tif 000004
【図３】
2012134868.tif 000005
【図４】
2012134868.tif 000006
【図５】
2012134868.tif 000007
【図６】
2012134868.tif 000008
【図７】
2012134868.tif 000009
【図８】
2012134868.tif 000010
【図９】
2012134868.tif 000011
【図１０】
2012134868.tif 000012
【図１１】
2012134868.tif 000013